(57)【要約】      （修正有）【課題】蓋を迅速簡単に除去できて容器の中身に簡単にアクセスできる閉鎖装置を提供する。【解決手段】栓２１と、首部１２と首部に配置された栓の両方を覆うことが可能であるキャップ２４を有する。キャップは、蓋２６とリング２５を有し、リングは、据え付けられた状態で栓と首部を包囲することができかつ首部にロックするための手段を備える。リングと蓋は単一部品として作られ、リングの中心軸線Ｘ１に平行でかつ栓に向けて方向付けられた力を用いて破断可能な少なくとも一部分を介して連結される。蓋は、栓に対して支承する要素２６２を備える。破断可能な部分は、ブリッジで形成され、蓋の半径方向外端縁部とリングの半径方向内端縁部に沿っている。２つの隣接し合うブリッジの間には円弧状の管腔２８が形成される。管腔は０．３ｍｍよりも小さい半径方向幅と０．１５ｍｍよりも大きい軸線方向高さを有する。【選択図】図２
2018076125.tif 000002
【特許請求の範囲】
【請求項１】
首部（１２）が設けられた容器（１）のための閉鎖装置（２０）であって、前記閉鎖装置（２０）は栓（２１）とプラスチックキャップ（２４）を有し、該プラスチックキャップは前記首部と該首部に配置された栓の両方を覆うことが可能であると共にリング（２５）と蓋（２６）を有し、該リングは据え付けられた状態において前記栓と前記首部を包囲することができかつ首部にロックするための手段（２５３）を備え、
前記リング（２５）と前記蓋（２６）は単一部品として作られ、
前記リング（２５）と前記蓋（２６）は、リングの中心軸線（Ｘ２５）に平行でかつ前記栓（２１）に向けて方向付けられた力（Ｅ１）を用いて破断可能な少なくとも一部分（２７）を介して連結されており、
前記蓋には前記栓（２１）に対して支承する要素（２６２）が装備されている、前記閉鎖装置において、
前記破断可能な部分は、前記蓋（２６）の半径方向外端縁部（２６１）と、前記リング（２６）の半径方向内端縁部（２５７）との間で半径方向に延びるブリッジ（２７）によって形成され、
蓋の前記半径方向外端縁部（２６１）とリングの前記半径方向内端縁部（２５７）に沿う、２つの隣接し合うブリッジ（２７）の間には円弧状の管腔（２８）が形成されると共に、前記管腔は０．３ｍｍよりも小さい半径方向幅と０．１５ｍｍよりも大きい軸線方向高さ（Ｈ２８）を有することを特徴とする閉鎖装置。
【請求項２】
各ブリッジ（２７）は、ブリッジの前記蓋（２８）への取り付け領域よりもブリッジの前記リング（２５）への取り付け領域に近くに位置する優先破断領域（２７１）を有することを特徴とする請求項１に記載の装置。
【請求項３】
前記ロックするための手段は歯（２５３）を有し、夫々の歯は、リング（２５）の中心軸線（Ｘ２５）に垂直でかつ前記首部（１２）の外側にあるカラー（１３）の面（１３４）に対して支承するためのロック面（２５３Ａ）を形成することを特徴とする請求項１又は２に記載の装置。
【請求項４】
閉鎖装置（２０）が容器（１）に取り付けられた状態において前記栓（２１）の上面（２１３）を覆う前記リング（２５）の環状部分（２５４）には、前記ロック面（２５３Ａ）を前記歯（２５３）から剥離させるためのピンのための通路開口部（２５５）が穿孔されることを特徴とする請求項３に記載の装置。
【請求項５】
剥離ピンの通路開口部（２５５）の横断面は、前記リングの中心軸線（Ｘ２５）に平行な方向において前記通路開口部の真向かいに位置するロック面（２５３Ａ）の面積よりも大きい面積を有することを特徴とする請求項４に記載の装置。
【請求項６】
夫々の歯（２５３）はカラーに対して摺動する面（２５３Ｂ）を形成し、その面はテーパが付いた円錐部分の形態であると共にリング（２５）の中心軸線（Ｘ２５）に対して蓋（２６）と反対側に分岐することを特徴とする請求項３〜５のいずれか一項に記載の装置。
【請求項７】
前記ブリッジ（２７）の軸線方向厚さ（ｅ２７）は、前記蓋（２６）の中心軸線（Ｘ２６）に平行に測定して、０．１ｍｍと０．３ｍｍの間、好ましくは０．２ｍｍと０．２５ｍｍの間にあることを特徴とする請求項１〜６のいずれか一項に記載の装置。
【請求項８】
前記蓋（２６）は、前記リング（Ｘ２５）の中心軸線に沿って、前記ロックするための手段（２５３）とは反対側にあるリングの一端縁部（２５８）から突出して延びることを特徴とする請求項１〜７のいずれか一項に記載の装置。
【請求項９】
前記蓋（２６）は、前記ブリッジ（２７）の軸線方向厚さ（ｅ２７）の２倍よりも大きいか又はそれに等しい軸線方向高さ、好ましくは前記軸線方向厚さの３倍よりも大きいかそれに等しい軸線方向高さ、さらに好ましくは前記軸線方向厚さの４倍に等しい軸線方向高さ（Ｈ）を越えてリングの端縁部（２５８）から延びることを特徴とする請求項８に記載の装置。
【請求項１０】
前記栓（２１）に載る前記蓋（２６）の支承要素は、蓋の中心軸線に沿って前記栓と接触するまで栓に向かって延びるピン（２６２）から形成されることを特徴とする請求項１〜９のいずれか一項に記載の装置。
【請求項１１】
前記閉鎖装置（２０）が容器（１）に取り付けられた状態で、前記蓋（２６）の支承要素（２６２）は前記栓に力を及ぼし、容器（１）の首部（１１）上に位置合わせした栓の中央部分に弾性変形を起こさせることを特徴とする請求項１０に記載の装置。
【請求項１２】
前記ブリッジが破断した際、前記栓（２１）は前記支承要素（２６２）に弾性力（Ｅ２）を及ぼして前記栓を放出させ、前記弾性力は前記支承要素によって先に課せられた栓の中央部分（２１４）の弾性変形力に起因していることを特徴とする請求項１１に記載の装置。
【請求項１３】
前記蓋（２６）は破断可能部（２７）によって、容器の首部（１２）を包囲するように形成されかつロック手段（２５３）を装備した前記リングのスカート（２５１）に垂直なリングの環状部分（２５４）に連結されると共に、環状部分（２５４）には少なくとも１つの開口部（２５５）が設けられ、夫々の開口部は、前記栓（２１）の側において、開口部の半径方向内側で栓の表面を貫通するように形成されたリブ（２５９）によって境界付けられていることを特徴とする請求項１〜１２のいずれか一項に記載の装置。
【請求項１４】
請求項１〜１３のいずれか一項に記載の閉鎖装置（２０）を装備する、特に薬瓶である容器（１）。
【発明の詳細な説明】
【技術分野】
【０００１】
本発明は容器のための閉鎖装置であって、容器の首部を閉じるように設けられた栓の他にキャップを有する前記装置に関する。また、本発明は、そのような閉鎖装置を備えた、例えば薬瓶などの容器にも関する。
【背景技術】
【０００２】
薬剤容器の分野では、活性成分をフリーズドライや粉末、或いは溶液の形で保管するためにガラス瓶を使用することが知られている。そのような瓶は、使用期限まで満足のいく保管条件下でその中身を維持するために密封されなければならない。そのような瓶を密封するために、瓶の首部を閉じるためエラストマーからなる円筒形栓を有する閉鎖装置を使用することが知られている。その栓の目的は、気体と液体と細菌に対して最も完全な気密性を確実にすることである。そのような栓を薄膜を伴った金属カプセルと合体化することが知られている。その容器は、薄膜を引っ張り、金属カプセルを引き裂くことによって開放される。これは、金属カプセルが殆どの場合アルミニウムによって作られるため破損する可能性があり、また手によって除去されなければならないため結果として切断のリスクがあり、通常は小さい分解ツールを使用することになるなどの理由により問題が多いかもしれない。
【０００３】
外部から隔離するために栓の周りに固定化されるためのプラスチックカプセルを使用することが知られている（例えば、特許文献１参照。）。この既知装置のマルチパート構造は高価になる。さらに、そのカプセルでは栓へのアクセスが容易ではなく、カプセルが破壊される事態（装置での異常作動状態）が起こらない限りは、栓を除去することはできない。
【０００４】
ガラス瓶の首部にロックされるためのリングを操作するためのキーに固定された蓋を使用することが知られている（例えば、特許文献２参照。）。この蓋は、人が瓶の中身へアクセスしたいと望んだ際、横方向に引き裂くことで除去される。この操作は経験の浅いユーザや高齢者にとっては繊細なものかもしれない。
【０００５】
さらに、ある文献では、蓋と、閉鎖装置のキャップに属するリングとの間に連続した破断線を形成することが教示している（例えば、特許文献３参照。）。この連続した線は経験の浅いユーザや高齢者にとっては破断困難かもしれない。
【先行技術文献】
【特許文献】
【０００６】
【特許文献１】国際公開公報第９４／０４４２４号
【特許文献２】国際公開公報第２００８／１２９１４４号
【特許文献３】独国特許第３２ ９８０１９５号
【発明の概要】
【発明が解決しようとする課題】
【０００７】
本発明は特に、その使用が特に単純かつ直感的であるばかりか、とりわけ蓋を迅速簡単に除去できて容器の中身に簡単にアクセスできるような新規の閉鎖装置を提案することで、上述したこれらの欠点を解決することを目的とするものである。
【課題を解決するための手段】
【０００８】
この目的のため、本発明は首部が設けられた容器のための閉鎖装置に関係し、前記装置は栓とプラスチックキャップを有し、そのキャップは首部とその首部に配置された栓の両方を覆うことができ、そのキャップはリングと蓋を有し、そのリングは、据え付けられた状態において前記栓と前記首部を包囲することができると共に首部にロックするための手段を備えるような、以上の閉鎖装置に関するものである。そのリングと蓋は、単一部品として作られると共に、リングの中心軸線に平行でかつ前記栓に向けて方向付けられた力を用いて破断可能な少なくとも一部分を介して連結されており、片や蓋には栓に対して支承する要素が装備される。この閉鎖装置は、前記破断可能な部分が前記蓋の半径方向外端縁部と前記リングの半径方向内端縁部との間で半径方向に延びるブリッジによって形成されること、蓋の前記半径方向外端縁部とリングの前記半径方向内端縁部に沿う、２つの隣接し合うブリッジの間には円弧状の管腔が形成されること、及び前記管腔は０．３ｍｍよりも小さい半径方向幅と０．１５ｍｍよりも大きい軸線方向高さを有することを特徴としている。
【０００９】
本発明により栓の除去が特に容易である。何故なら、それは、栓に対して方向付けられた、即ち実際には閉鎖装置を装着した瓶の底に対して方向付けられた力をそれに及ぼし、破断可能領域にあるブリッジを破断するのに十分であるからである。さらに、蓋はその支承要素のおかげで栓に対して寄りかかるため、蓋は栓による弾性変形を受け、一旦破断可能部分が破断したならばキャップのリングから容易に蓋を放出することが可能になり、それにより栓へのフリーアクセスが可能になる。本発明は、側方の力によって除去できる蓋（“フリップオフ”蓋と呼ばれる）や引っ張り力によって除去できる蓋（“ティアオフ
蓋と呼ばれる）や回転方向の力によって除去できる蓋（スクリュキャップの場合）にユーザが慣れ親しんでいる薬物パッケージングの分野にあって型にはまらないアプローチを採用している。それどころか本発明による栓の除去にあたっては、蓋の底に向かうスラスト力しか必要とせず、除去自体はその実行が特に単純である。さらに隣接した２つのブリッジ間に形成された管腔の寸法により、蓋が除去される前に容器の中身が不正に操作されるのを防ぐ。事実、これらの寸法は、閉鎖装置の外側から容器の首部に針を挿入することに不適合である。最後に、ブリッジによって蓋をリングに接続することで、連続したラインを破断するのに必要とされるものよりも低い値を以て、ブリッジを破断するのに必要な軸線方向力を較正することができ、それは蓋の除去をより簡単にする。
【００１０】
有利とは言えあくまで任意的な本発明の態様によれば、そのような閉鎖装置は、任意の技術的に許容できる組み合わせを検討し、以下に掲げる各特徴の１つ又はそれ以上を組み込むようにしても良い。
各ブリッジは優先破断領域を有し、それはブリッジの蓋への取り付け領域よりもブリッジのリングへの取り付け領域に近くに位置する。
ロック手段は歯を有し、夫々の歯は、リングの中心軸線に垂直でかつ首部の外側にあるカラーの面に支承するためのロック面を形成する。
閉鎖装置が容器に取り付けられた状態において、栓の上面を覆う前記リングの環状部分には、ロック面を歯から剥離させるためのピンのための通路開口部が穿孔される。
剥離ピンの通路開口部の横断面は、前記リングの中心軸線に平行な方向において前記通路開口部の真向かいに位置するロック面の面積よりも大きい面積を有する。
夫々の歯はカラーに対して摺動する面を形成し、その面はテーパが付いた円錐部分の形態であると共にリングの中心軸線に対して蓋と反対側に分岐する。
前記ブリッジの軸線方向厚さは、前記蓋の中心軸線に平行に測定して、０．１ｍｍと０．３ｍｍの間、好ましくは０．２ｍｍと０．２５ｍｍの間にある。
前記蓋は、前記リングの中心軸線に沿って前記ロック手段とは反対側にあるリングの一端縁部から突出して延びる。好ましくは、前記蓋は、前記ブリッジの軸線方向厚さの２倍よりも大きいか又はそれに等しい軸線方向高さ、好ましくは前記厚さの３倍よりも大きいかそれに等しい軸線方向高さ、さらに好ましくは前記厚さの４倍に等しい軸線方向高さを越えてリングの端縁部から延びる。
前記栓に載る前記蓋の支承要素は、蓋の中心軸線に沿って前記栓と接触するまで栓に向かって延びるピンから形成される。
前記閉鎖装置が容器に取り付けられた状態で、前記蓋の支承要素は前記栓に力を及ぼし、容器の首部上に位置合わせした栓の中央部分に弾性変形を起こさせる。
前記ブリッジが破断した際、前記栓は前記支承要素に弾性力を及ぼして前記栓を放出させ、前記弾性力は前記支承要素によって先に課せられた栓の中央部分の弾性変形力に起因している。
前記蓋は破断可能部によって、容器の首部を包囲するように形成されかつロック手段を装備した前記リングのスカートに垂直なリングの環状部分に連結されると共に、環状部分には少なくとも１つの開口部が設けられ、夫々の開口部は、前記栓の側において、開口部の半径方向内側で栓の表面を貫通するように形成されたリブによって境界付けられている。
【００１１】
本発明はまた、上記のように閉鎖装置を備えた容器、特に薬瓶に関する。
【００１２】
以下に掲げる添付図面を引用し、単に一例として提供された閉鎖装置とその原理に沿った容器の一実施形態の説明を読むことで、本発明はより良く理解され、他の利点も一層明解なものになるであろう。
【図面の簡単な説明】
【００１３】
【図１】本発明による閉鎖装置を設けた薬瓶の斜視図である。
【図２】図１の瓶の上部の一部を破断した斜視図である。
【図３】図２の面III に沿った部分的断面図であって、瓶への侵入攻撃を示した図である。
【図４】図２のIV面に沿った部分的断面図である。
【図５】閉鎖装置だけの、図３と同一平面内での軸線方向の分解断面図である。
【図６】図５の装置のキャップの、第１角度からの斜視図である。
【図７】別の角度からの図６のキャップの図である。
【図８】リングから分離後の蓋の斜視図である。
【図９】図３のスケールでの図１の瓶の底面図であって、その中のIII −III とIV−IVが図３、４の切断面を示した図である。
【図１０】前出の図からの瓶の使用についての幾つかの連続的なステップを示した図である。
【図１１】前出の図からの瓶の使用についての幾つかの連続的なステップを示した図である。
【図１２】前出の図からの瓶の使用についての幾つかの連続的なステップを示した図である。
【図１３】前出の図からの瓶の使用についての幾つかの連続的なステップを示した図である。
【図１４】図１２に相当し、瓶の別の使用方法に対応する図である。
【発明を実施するための形態】
【００１４】
図示された瓶１はガラス製であり、外カラー１３を持つ首部１２によって形成されるボトルネック１１を有している。Ｘ１は瓶１の回転軸線を示し、それは、また、首部１２とカラー１３の中心軸線でもある。首部１１と反対側の瓶１の底は１４で示されている。参照番号１３２と１３４は、底１４の真向かいと底に向かって夫々、方向付けられたカラー１３の面１３２、１３４を示している。換言すれば、図１０〜図１３に示すように瓶１の底１４が水平な平坦面Ｓ上に載った時、面１３２及び１３４は夫々、カラー１３の下面と上面を構成する。
【００１５】
瓶１に充填しようとする場合、図１０に示すようにピペット２００がボトルネック１１を介してその中に挿入される。所定量の製品が瓶１内に入れられたならばピペット２００が取外され、閉止装置２０が首部１２上に配置される。その装置２０は、カラー１３の面１３２上に載置されつつボトルネック１１に部分的に挿入されるのに適した形状のエラストマー栓２１を有する。栓２１は単一構成部品であり、面１３２上に載置されるようになっている円盤形プレート２１１と、ボトルネック１１を貫通するようになっている中空ロッド２１２とを有する。一旦首部１２上に設置されたならば、栓２１は瓶１の中身とその外側とを遮断する。Ｘ２１は栓２１の回転中心軸線である。栓２１が瓶１に組み付けられた形で、軸線Ｘ１と軸線Ｘ２１は重なり合う。
【００１６】
装置２０は、また、閉鎖装置の閉じ状態において、外部から栓２１と首部１２を覆ってこれらを遮断するためのキャップ２４を有する。
【００１７】
キャップ２４は一括成型されてキャップ２４としての単一部品を形成するリング２５と蓋２６を有する。言い換えれば、キャップ２４内にあって要素２５、２６間には連続する材料が存在する。
【００１８】
リング２５には、カラー１３の面１３４の下方に５つのロック用歯２５３が設けられている。
【００１９】
参照番号２５１はリング２５の外周スカートを示し、Ｘ２５はリングの中心軸線を表している。このスカートの半径方向内面２５１Ａには三角形の断面の歯２５３が装備されている。各歯２５３は、軸線Ｘ２５に垂直でかつキャップ２４が瓶１の首部１２の周りに置かれた際に面１３４に支承するためのロック面２５３Ａを形成する。各歯２５３は、また、キャップ２４が首部１２上に置かれた際、面１３２とカラー１３の半径方向外面との間の接合域上で摺動するように設けられた摺動面２５３Ｂを形成する。
【００２０】
その配置時、歯２５３がカラー１３の下方でロックされ、面２５３Ａがカラー１３の面１３４と真向かいの状態となる前、歯２５３が軸線Ｘ１に沿ってカラー１３を通り過ぎる時にスカート２５１は半径方向弾性的に拡張する。このように、歯２５３は瓶１の首部１２へのリング２５のロック手段を形成する。面２５３Ｂはテーパが付けられて下方に分岐する円錐部分の形状であり、この形は、カラー１３の通過によるスカート２５１の弾性的半径方向拡張が漸進的であることを確実にする。
【００２１】
参照番号２５４は、装置２０が瓶１、即ちロッド２１２とは反対側にあるプレート２１１の面に取り付けられた状態において、栓２１の上面２１３を部分的に覆うリング２５の環状部分を表している。部分２５４はスカート２５１に対して垂直であって、面２５３Ａの型抜きのための５つの通路開口部２５５が穿孔される。面２１３へはこれらの開口部２５５を介してアクセス可能となる。
【００２２】
各通路開口部２５５は、軸線Ｘ２５に対する横断面で、歯２５３のロック面２５３Ａに対する剥離ピンの通過を可能にするほど充分な面積を有する。従って、この面積は軸線Ｘ２５に平行な方向において、通路開口部２５５の真向かいに位置する面２５３Ａの面積よりも大きい。
【００２３】
蓋２６は円形であり、キャップ２４の各要素２５、２６が固着された際に軸線Ｘ２５と結合する軸線Ｘ２６を中心として形成される。参照番号２６１は蓋２６の半径方向外端縁部であり、Ｄ２６はその最大外径を示している。
【００２４】
部分２５４には軸線Ｘ２５を中心とする円形中心穴２５６が設けられ、その直径はｄ２５６で示される。
【００２５】
厳密には、直径Ｄ２６は直径ｄ２５６よりも小さく、端縁部２６１は、一体化した軸線Ｘ２５、Ｘ２６に沿って、その端縁部の半径方向内側にある前記穴２５６を形成する部分２５４の端縁部２５７の高さに位置決めされる。
【００２６】
単一構成部品片としてのキャップ２４の製造中、要素２５及び２６は、端縁部２６１、２５７間において軸線Ｘ２５、Ｘ２６に対して半径方向に延びる４つのブリッジ２７によって連結され、これらのブリッジは端縁部２５７の側で最も小さい基部２７１を持った台形の形となる。
【００２７】
蓋２６は、また、軸線Ｘ２６を中心として歯２５３の近傍に位置するスカート２５１の端縁部２５１に向かうピン２６２を有して。言い換えれば、装置２０を据え付けた状態でピン２６２は栓２１に向かう。
【００２８】
参照番号ｅ２７はブリッジ２７の軸線方向厚さ、即ち軸線線Ｘ２６に平行に測定された厚さを表している。この厚さｅ２７は、軸線Ｘ２５、Ｘ２６軸線に平行で栓２１に向かう、即ち装置２０を取り付けた際の瓶１の底１４に向かう力Ｅ１の影響下でブリッジ２７を破断できるように選択される。実際には、ブリッジ破断前において蓋２６がリング２５に対し効果的に固定され、必要に応じて軸線方向力の影響下でブリッジが容易に破断されるようにするため、厚さｅ２７の値は０．１ｍｍと０．３ｍｍの間、好ましくは０．２５ｍｍと０．２ｍｍの間で選択される。
【００２９】
このように、装置２０が瓶１の上に設置された場合、即ち、図１〜図４及び図１２の形態となった際には、栓２６に力Ｅ１を付与することができ、結果としてブリッジ２７にせん断力を課し、夫々の小基部２７１を破断することができる。
【００３０】
図２〜図４は、瓶１に装置２０を取り付けた状態において、蓋２６のピン２６２が、ロッド２１２の中空容積の真向かい位置するプレート２１１の中央部分２１４を変形させる力を加えている形を示している。この変形は弾力性があり、その結果ブリッジ２７が破断した際には、栓２１によって蓋２６のピン２６２上に課せられた弾性力Ｅ２によって蓋が穴２５６から押し出されることになる。換言すれば、弾性力Ｅ２がその機能を成すために、瓶１上の定位置に置かれたままの状態の装置２０の部分２１、２４から蓋を分離させるためにユーザは蓋２６を引っ張る必要はない。装置２０が瓶１上にある状態ではピン２６２が部分２１４を弾性変形させているため、ブリッジ１７の破断前には力Ｅ２が存在しており、このことは破断可能領域が破断される前に蓋が栓を変形していないＤＥ−Ａ−１９５３２９８０号に記載のものとは異なるアプローチをしていることに留意されたい。ピン２６２の寸法を操作することにより、ブリッジ破断前の部分２１４の弾性変形量を較正することができ、その結果として力Ｅ２の強度を較正することができる。
【００３１】
参照番号２５８は部分２５４の上部環状面２５８を表している。この表面２５８は、ロック歯２５３と反対側にあるリング２５の端縁部を構成している。装置２０を取り付けた状態において、図２〜図４に特に示したように、蓋２６は、厚さｅ２７の少なくとも２倍はある、軸線Ｘ２６に平行な状態で測定された高さＨ以上に亘り、面２５８を越えてリング２５から突き出している。
【００３２】
参照番号２６８はさらに、ピン２６２とは反対側にある蓋２６の面を示している。その面は環状部分に亘って平坦であり、ピン２６２の基部に対応した中央凹部が設けられている。
【００３３】
実際には、面２６８の環状部分と面２５８とが、その際重複状態にある軸線Ｘ２５、Ｘ２６に沿って同じ軸線方向高さへともたらされるまで力Ｅ１が蓋２６に付与される。これは厚さｅ２７の少なくとも２倍はある高さＨを超える蓋２６の軸線方向移動に相当するため、ブリッジ２７の突然の決定的破断を招く。事実、ブリッジ２７は厚さの２倍以上の移動を誘発させるせん断力に対抗することができない。実際には、比率Ｈ／ｅ２７の値２は安全係数によって増加し、比率は３よりも大きいか等しくなる。特に納得のいく結果が４に等しい比率Ｈ／ｅ２７の時に得られるかもしれない。
【００３４】
図１１からより具体的になるように、端縁部２６１、２５７間にあって隣接するブリッジ２７間には４つの円弧状管腔２８が形成される。蓋２６を除去する前、これらの管腔は穴２５６の非中実部分だけを構成する。参照番号ｌ２８は、端縁部２６１、２５７間にあって軸線Ｘ２５、Ｘ２６軸線に対して半径方向に測定されたこれら管腔の幅を示している。Ｈ２８は軸線Ｘ２５、Ｘ２６軸線に平行に測定されたこれら管腔の軸線方向高さを示している。
【００３５】
これらの寸法ｌ２８、Ｈ２８に関しては、蓋２６を取り外すことなく瓶１の中身へとアクセス可能にする位置において、皮下注射器の針３００Ａのような細い器具の一管腔２８内への挿入を回避するように選択される。この目的のため、選ばれる幅ｌ２８の値は０．３ｍｍよりは小さく、好ましくは０．２ｍｍに等しく、高さＨ２８については０．１５ｍｍよりも大きく、好ましくは０．２ｍｍに等しい。図３に示すように、針３００Ａは、全体的に軸線Ｘ２５、Ｘ２６に平行な方向でのみ挿入することができ、その位置において、針は、仮にプレート２１１の中に深く駆動されたならば、面１３２に対して当接する。
【００３６】
その上、瓶１の中身を不正な操作攻撃から保護するために、各開口部２５５は半径方向内側にあって面２５８とは反対側において、面２１３に表面的に貫通するリブ２５９によって境界付けられている。このため、上で説明したように剥離ピンが通過するために各開口部が比較的大きい面積の横断面を有するのに反して、図３の左上部分に示すように、一開口部２５５へ針３００Ｂを挿入しても、内部の栓２１を通って瓶１の中身へアクセス可能とはならない。針３００Ｂを使用した不正な操作から瓶１の中身を保護するという問題は、歯２５３の面２５３Ａを成形するのに必要とされる開口部２５５の有無とその大きさに関係しており、それはＤＥ−Ａ−１９５３２９８０号により公知のビードと違って、首部１２に効果的にロックする手段を構成する。換言すれば、リブ２５９の存在及びその機能は、間接的に歯２５３の使用に起因するものである。
【００３７】
さらに、その一部分が面１３４の下方に突出するスカート２５１の軸線方向高さＨ２５１は、端縁部２５１Ｂと瓶１の本体との間に環状空間Ｅが残留することで、歯２５３に作用する如何なる可能性なしに針が首部１２に当接する位置において針３００Ｃが挿入できるように、首部１２の寸法を関数として選択される。よって、不正ユーザが首部１２からリング２５を除去することを防止することにより、不正な操作を回避する。
【００３８】
このようにして一旦、首部１２上に配置されたならば、装置２０は瓶１の中身の整合性を保証する。
【００３９】
装置２０は以下のように作動する。
【００４０】
図１１の矢印Ｆ１、Ｆ２に示すように、この装置が瓶１に設置されて栓３１とキャップ２４が瓶１に設置された後、さらに軸線Ｘ２５、Ｘ２６に平行に力Ｅ１が課せられ、面２６８の環状部分が面２５８へともたらされた際には、回転力や引張力を課す必要なしにブリッジ２７が破断され、栓２６がリング２５から分離するような図１３の形が達成され、穴２５６を介して栓２１への上面２１３へのアクセスが可能となる。
【００４１】
瓶１と蓋２６の分離は、栓２１によって蓋上に課せられた弾性力Ｅ２のために生じる。
【００４２】
蓋除去後は、注射針を使って瓶内に液体を注入し、薬物を再構成することが可能であり、次いで再構成された薬物を回収することができる。
【００４３】
あるいは、図１４に示すように、装置２０を装備した瓶１を平坦面２上で逆さまに設置し、面Ｓに向けて方向付けられた力Ｅ１’を瓶１の底１４に与えることができる。これは結果として蓋２６を栓１に向けて移動させることになり、ブリッジを破断することになる。蓋２６に力を課す２番目の方法は、ブリッジ２７を破断するために装置２０が静止する面Ｓによって付与される反力Ｅ１を使用することを意味する。
【００４４】
キャップ２４を成形するのに使用される材料はポリオキシメチレンやポリプロピレンでも良く、それは、ブリッジ２７の小基部２７１において綺麗な破断を生じるべく選択される。
【００４５】
図１３は、ブリッジの小基部２７１が端縁部２５７上に配置されているために、ブリッジ２７は、栓２６除去後においても端縁部上に如何なる凹凸をも残留させないことを示している。
【００４６】
本発明の図示しない変形例によれば、ブリッジ２７の優先破断領域は端縁部２５７に接触せずに、そこから短い半径方向距離をおいて設けるようにしても良い。実際、これらの優先破断領域と端縁部２５７との間の半径方向距離は、これらの優先破断領域と端縁部２６１上でのブリッジ２７の締着領域との間の半径方向距離よりも小さい。この関係は、また、図示したケースにおいても立証されている。何故なら、そのケースでは小基部２７１と端縁部２５７との間の軸線方向距離はゼロであり、ブリッジ２７の半径方向長さよりも小さいからである。
【００４７】
本発明で使用されるブリッジの数は必ずしも４つである必要はない。その数は、弾性力Ｅ２に対抗して蓋２６を押圧することに対する所望の抵抗に基づいて選択される。
【００４８】
或いは、ブリッジ２７の数にかかわりなく、前記ブリッジを薄膜の形態の連続的な破断可能領域で置き換るようにしても良い。
【図１】
2018076125.tif 000003
【図２】
2018076125.tif 000004
【図３】
2018076125.tif 000005
【図４】
2018076125.tif 000006
【図５】
2018076125.tif 000007
【図６】
2018076125.tif 000008
【図７】
2018076125.tif 000009
【図８】
2018076125.tif 000010
【図９】
2018076125.tif 000011
【図１０】
2018076125.tif 000012
【図１１】
2018076125.tif 000013
【図１２】
2018076125.tif 000014
【図１３】
2018076125.tif 000015
【図１４】
2018076125.tif 000016
【外国語明細書】
2018076125000001.pdf